(57)【要約】【課題】弁の浮き上がりを防ぐことで通常吐出期の液体の吐出量を多めに設定することを可能にし、使い勝手のよい電気湯沸かし器を提供する。【解決手段】吐出手段による吐出初期ａ後に、吐出を複数回繰り返す少吐出期ｂを経て通常吐出期ｃに移行するようにしたことで、浮き上がった弁を正常状態に着座させ浮き上がりを防ぐ。その結果、液体の吐出量を多めに設定することが可能になり使い勝手がよくなる。【選択図】  図１
2004350831.tif 000002
【特許請求の範囲】
【請求項１】
液体を収容する容器と、前記容器内の液体を吐出する吐出手段と、前記吐出手段に接続された通水路と、前記通水路と吐出口との間に設けられ通常は開口し変位により通水路を塞ぐ弁とを備え、前記吐出手段による吐出初期後に、吐出を複数回繰り返す少吐出期を経て通常吐出期に移行するようにした電気湯沸かし器。
【請求項２】
少吐出期の吐出量のピーク値を吐出初期の吐出量よりも少なくした請求項１に記載の電気湯沸かし器。
【請求項３】
少吐出期の吐出量のピーク値を徐々に下げていく請求項１または２に記載の電気湯沸かし器。
【請求項４】
少吐出期終了後、通常吐出期まで徐々に吐出量を増す請求項１〜３のいずれか１項に記載の電気湯沸かし器。
【請求項５】
少吐出期の繰り返しの間隔を、弁が浮いた状態から着座するまでの時間よりも長くした請求項１〜４のいずれか１項に記載の電気湯沸かし器。
【請求項６】
短時間経過後に吐出操作が繰り返された場合、２回目以降の吐出時に少吐出期の繰り返しを省略した請求項１〜５のいずれか１項に記載の電気湯沸かし器。
【請求項７】
弁から吐出口までの間に液体の流れを検知する検知器を設け、検知結果により吐出パターンを変更する請求項１〜６のいずれか１項に記載の電気湯沸かし器。
【請求項８】
弁の着座状態を検知する検知器を設け、検知結果により吐出パターンを変更する請求項１〜６のいずれか１項に記載の電気湯沸かし器。
【発明の詳細な説明】
【０００１】
【発明の属する技術分野】
本発明は、主に一般家庭で使用される電気湯沸かし器に関するものである。
【０００２】
【従来の技術】
従来、この種の電気湯沸かし器は、吐出手段（電動ポンプ）の駆動により、液体（湯）を容器外へ導出するものが一般的であった（例えば、特許文献１参照）。
【０００３】
そして、現実的には、図１１に示すように、吐出手段による吐出量は設定されているものである。また、容器外へ導出する通水路には、湯沸かし器本体の転倒時等に、液体が通水路を通って外へ流出するのを防ぐための弁装置が設けられているものであった。
【０００４】
【特許文献１】
特開２００３−３８３５３号公報
【０００５】
【発明が解決しようとする課題】
しかしながら、前記従来の構成では、何らかの原因で弁装置内の弁が正常位置にない状態時に、液体の吐出量を多めに設定すると、弁を浮き上がらせ、湯沸かし器本体の転倒等していないにも関わらず、通水路を塞いでしまう場合があった。そこで、液体の吐出量を弁が浮き上がって通水路を塞いでしまわないよう少なめに設定され、吐出速度が遅く使い勝手の悪いものとなっていた。
【０００６】
本発明は、前記従来の課題を解決するもので、弁が正常位置にない状態時であっても、液体の吐出量を多めに設定することを可能にし、使い勝手のよい電気湯沸かし器を提供することを目的としている。
【０００７】
【課題を解決するための手段】
前記目的を達成するために、本発明の電気湯沸かし器は、前記吐出手段による吐出初期後に、吐出を複数回繰り返す少吐出期を経て通常吐出期に移行するようにしたものである。
【０００８】
これにより、少吐出期で弁を正常状態に着座させ、その後の弁の浮き上がりを防ぎ、通常吐出期の液体の吐出量を多めに設定することが可能になり、使い勝手のよい電気湯沸かし器となるものである。
【０００９】
【発明の実施の形態】
請求項１に記載の発明は、液体を収容する容器と、前記容器内の液体を吐出する吐出手段と、前記吐出手段に接続された通水路と、前記通水路と吐出口との間に設けられ通常は開口し変位により通水路を塞ぐ弁とを備え、前記吐出手段による吐出初期後に、吐出を複数回繰り返す少吐出期を経て通常吐出期に移行するようにした電気湯沸かし器とすることにより、少吐出期で弁を正常状態に着座させ、その後の弁の浮き上がりを防ぎ、通常吐出期の液体の吐出量を多めに設定することが可能になり、使い勝手のよい電気湯沸かし器となるものである。
【００１０】
請求項２に記載の発明は、少吐出期の吐出量のピーク値を吐出初期の吐出量よりも少なくした請求項１に記載の電気湯沸かし器とすることにより、少吐出期に弁が通水路を塞いでしまうことを防ぐことができる。
【００１１】
請求項３に記載の発明は、少吐出期の吐出量のピーク値を徐々に下げていく請求項１または２に記載の電気湯沸かし器とすることにより、少吐出期に弁をスムーズに正常状態に着座させることができる。
【００１２】
請求項４に記載の発明は、少吐出期終了後、通常吐出期まで徐々に吐出量を増す請求項１〜３のいずれか１項に記載の電気湯沸かし器とすることにより、正常状態に着座させた弁を動かすことなく、通常吐出期に移行することができる。
【００１３】
請求項５に記載の発明は、少吐出期の繰り返しの間隔を、弁が浮いた状態から着座するまでの時間よりも長くした請求項１〜４のいずれか１項に記載の電気湯沸かし器とすることにより、弁が浮いた状態で動き回ることを防ぐことができる。
【００１４】
請求項６に記載の発明は、短時間経過後に吐出操作が繰り返された場合、２回目以降の吐出時に少吐出期の繰り返しを省略した請求項１〜５のいずれか１項に記載の電気湯沸かし器とすることにより、２回目以降は少吐出期がないため使い勝手がよくなる。
【００１５】
請求項７に記載の発明は、弁から吐出口までの間に液体の流れを検知する検知器を設け、検知結果により吐出パターンを変更する請求項１〜６のいずれか１項に記載の電気湯沸かし器とすることにより、液体が流れない場合には少吐出期を繰り返し確実に弁を着座させてから通常吐出期に移行することができる。
【００１６】
請求項８に記載の発明は、弁の着座状態を検知する検知器を設け、検知結果により吐出パターンを変更する請求項１〜６のいずれか１項に記載の電気湯沸かし器とすることにより、弁が正常状態に着座している場合には少吐出期の繰り返しを行うことなく通常吐出期に移行させることができる。
【００１７】
【実施例】
以下、本発明の実施例について、図面を参照して説明する。
【００１８】
（実施例１）
図１〜図３は、本発明の実施例１における電気湯沸かし器を示すものである。
【００１９】
図１において、１は電気湯沸かし器の本体で、この本体１の中には、飲料要の液体を収容する容器２が内蔵され、容器２の底には加熱手段３が取り付けられている。容器２内の水は、加熱手段３により加熱された後、一定温度に保温される。４は容器２の底に取り付けられた吐出手段で、電動ポンプで構成され、液体を容器２外へ吐出する。５は吐出手段４に接続された通水路で、この通水路５の上部には弁ケース６に接続され、さらに、弁ケース６には吐出口７が取り付けられ液体を本体１外へ吐出する。
【００２０】
図２に詳細を示したように、通水路５と吐出口７との間に設けられた弁ケース６の内底部には、すり鉢状の摺動部６ａが設けられ、そこに逆円錐台形状の弁８が内蔵されている。この弁８は、摺動部６ａに着座した通常時には、摺動部６ａとの間に水路が形成されているものである。９は弁８の上方に設けられ吐出口７に連絡する孔で、弁８が自重で下降し摺動部６ａに着座した状態では、弁８との間に隙間があって開口されて液体を吐出口７から吐出することができる。逆に、本体１の転倒時等においては、弁８は摺動部６ａの内壁を滑って変位し、それにより孔９を塞ぎ、容器２内の液体が通水路５を通って本体１外へ流出するのを防ぐようになっている。
【００２１】
また、液体を吐出する時の吐出手段４への電圧のかけ方、すなわち、吐出量は、図３のように設定してある。すなわち、吐出初期ａ後に、吐出を複数回繰り返す少吐出期ｂを経て一定の吐出を行う通常吐出期ｃに移行するようにしたものである。少吐出期ｂにおける吐出量は、吐出初期ａの吐出量よりも少ないものである。なお、１２は吐出量を制御する制御手段である。
【００２２】
次に、前述した電気湯沸かし器の動作について説明する。液体を吐出する場合には本体１を操作し、吐出手段４を駆動する。すると、吐出手段４により容器２内の液体が通水路５に送られ、弁８と弁ケース６との間、孔９、吐出口７を通って本体１外へ吐出される。そして、弁８が摺動部６ａの底に正常に着座していた時には、吐出手段４の吐出量が多めに設定されていても、弁８の外周を液体が一様に通過するため、弁８は浮き上がることがなく正常に使うことができる。一方、正常使用時に、何らかの要因で、弁８が摺動部６ａの底に傾いて着座していた場合には、弁８を浮き上がらせる方向に液体の力が働くため、弁８は浮き上がり、孔９を塞ぐことになる。
【００２３】
しかし、吐出初期ａ後に、吐出を複数回繰り返す少吐出期ｂを設けたことにより、弁８は自重で下降する。すなわち、少吐出期ｂで吐出を複数回繰り返すことにより、弁８が正常の状態に着座し、通常吐出期ｃに移行しても弁８は浮き上がることがなく正常に使うことができる。その結果、通常吐出期ｃの液体の吐出量を多めに設定することが可能になり、使い勝手のよい電気湯沸かし器を提供できる。
【００２４】
なお、本体１の転倒時等においては、先に記述したように、弁８は摺動部６ａの内壁を滑って変位し、それにより孔９を塞ぎ、容器２内の液体が通水路５を通って本体１外へ流出するのを防ぐものである。
【００２５】
（実施例２）
図４は、本発明の実施例２における電気湯沸かし器の動作特性を示したものである。
【００２６】
本実施例においては、実施例１と基本構成は同じであるので、相違点についてのみ説明する。図に示すように、本実施例では、少吐出期ｂの吐出量のピーク値を吐出初期ａの吐出量より少なくし、通常吐出期ｃに移行するようにしている。
【００２７】
これにより、少吐出期ｂでの弁８を持ち上げる力を小さくして、少吐出期ｂの繰り返し吐出時に下降した弁８が再び孔９を塞いでしまうことを防ぐようにしている。
【００２８】
（実施例３）
図５は、本発明の実施例３における電気湯沸かし器の動作特性を示したものである。
【００２９】
本実施例においては、実施例１と基本構成は同じであるので、相違点についてのみ説明する。図に示すように、本実施例では、少吐出期ｂの吐出量のピーク値を吐出初期ａの吐出量より徐々に下げていき、通常吐出期ｃに移行するようにしている。
【００３０】
これにより、少吐出期ｂで弁８の状態を徐々に矯正し、スムーズに正常の状態に着座させることができるものである。
【００３１】
（実施例４）
図６は、本発明の実施例４における電気湯沸かし器の動作特性を示したものである。
【００３２】
本実施例においては、実施例１と基本構成は同じであるので、相違点についてのみ説明する。図に示すように、本実施例では、吐出初期ａ後の少吐出期ｂの吐出量を、通常吐出期ｃまで徐々に増すようにしてある。
【００３３】
これにより、一旦、正常状態に着座させた弁８を少吐出期ｂから動かすことなく、スムーズに通常吐出期ｃに移行することができる。
【００３４】
（実施例５）
図７は、本発明の実施例５における電気湯沸かし器の動作特性を示したものである。
【００３５】
本実施例においては、実施例１と基本構成は同じであるので、相違点についてのみ説明する。図に示すように、本実施例では、少吐出期ｂの吐出繰り返しの間隔ｄを、弁８が浮いた状態から着座するまでの時間よりも長くし、通常吐出期ｃに移行するようにしている。
【００３６】
これにより、弁８が下降する途中に力が加わらないようにして、再び浮き上がるのを防ぎ、弁８が弁ケース６内で動き回らないようにすることができる。
【００３７】
（実施例６）
図８は、本発明の実施例６における電気湯沸かし器の動作特性を示したものである。
【００３８】
本実施例においては、実施例１と基本構成は同じであるので、相違点についてのみ説明する。図に示すように、本実施例では、短時間経過後に吐出操作が繰り返された場合に、２回目以降の通常吐出期ｃにおける吐出時に、少吐出期ｂの吐出繰り返しを省略するようにしてある。
【００３９】
これにより、２回目以降は少吐出期ｂがないため、初めから通常吐出期ｃに入り、多量に吐出できるため使い勝手がよくなる。
【００４０】
（実施例７）
図９は、本発明の実施例７における電気湯沸かし器の要部を示したものである。
【００４１】
本実施例においては、実施例１と基本構成は同じであるので、相違点についてのみ説明する。図に示すように、本実施例では、弁８から吐出口７までの間に液体の流れを検知する検知器１０を設け、その検知結果により吐出パターンを変更するようにしてある。
【００４２】
すなわち、液体が流れない場合には、少吐出期ｂを繰り返すようにし、確実に弁８を着座させてから、通常吐出期ｃに移行することができる。
【００４３】
（実施例８）
図１０は、本発明の実施例８における電気湯沸かし器の要部を示したものである。
【００４４】
本実施例においては、実施例１と基本構成は同じであるので、相違点についてのみ説明する。図に示すように、本実施例では、弁８の着座状態を検知する検知器１１を弁ケース６の外部に設け、検知結果により吐出パターンを変更するようにしてある。
【００４５】
すなわち、弁８が正常状態に着座している場合には、少吐出期ｂを経ずに、吐出初期ａから直接通常吐出期ｃに移行させ、最初から多量に吐出でき使い勝手がよくなる。
【００４６】
上記した各実施例１〜８は、それぞれに限定されるものではなく、必要に応じて適宜組み合わせて構成することが可能なものである。
【００４７】
【発明の効果】
以上のように、本発明の電気湯沸かし器によれば、吐出手段による吐出初期後に、吐出を複数回繰り返す少吐出期を経て通常吐出期に移行するようにしたことで、浮き上がった弁を正常状態に着座させて通水路を開口するとともにその後の弁の浮き上がりを防ぐことができる。その結果、液体の吐出量を多めに設定することが可能になり、使い勝手のよい電気湯沸かし器を提供できる。
【図面の簡単な説明】
【図１】本発明の実施例１における電気湯沸かし器の断面図
【図２】同電気湯沸かし器の要部断面図
【図３】同電気湯沸かし器の動作を示す特性図
【図４】本発明の実施例２における電気湯沸かし器の動作特性図
【図５】本発明の実施例３における電気湯沸かし器の動作特性図
【図６】本発明の実施例４における電気湯沸かし器の動作特性図
【図７】本発明の実施例５における電気湯沸かし器の動作特性図
【図８】本発明の実施例６における電気湯沸かし器の動作特性図
【図９】本発明の実施例７における電気湯沸かし器の要部断面図
【図１０】本発明の実施例８における電気湯沸かし器の要部断面図
【図１１】従来例を示す電気湯沸かし器の動作特性図
【符号の説明】
２  容器
４  吐出手段（電動ポンプ）
５  通水路
７  吐出口
８  弁
１０、１１検知器
ａ  吐出初期
ｂ  少吐出期
ｃ  通常吐出期
ｄ  繰り返し間隔
【図１】
2004350831.tif 000003
【図２】
2004350831.tif 000004
【図３】
2004350831.tif 000005
【図４】
2004350831.tif 000006
【図５】
2004350831.tif 000007
【図６】
2004350831.tif 000008
【図７】
2004350831.tif 000009
【図８】
2004350831.tif 000010
【図９】
2004350831.tif 000011
【図１０】
2004350831.tif 000012
【図１１】
2004350831.tif 000013